(57)【特許請求の範囲】
【請求項１】
上枠の長手方向の端面と縦枠の面内方向の内側面を接合して上枠と縦枠を連結した枠体を有した建具であって、
前記上枠の上面と縦枠の上端面とに亘って設けられて、前記上枠と縦枠の接合部を止水する止水材と、
前記上枠の上面と縦枠の上端面とに亘って取り付けられて、前記縦枠の上外側の角部を覆い、かつ前記止水材を保持する上枠コーナーキャップを備えていることを特徴とする建具。
【請求項２】
前記上枠コーナーキャップと上枠の上面との間の前記止水材よりも面内方向の内側寄りに排水路を有し、
前記排水路は、枠体を建物躯体に取り付けた場合に、その建物躯体の室外側面と外壁との間の空間を室外に連通する請求項１記載の建具。
【請求項３】
前記排水路は、上枠の上面に沿った横向き排水路と、この横向き排水路の室内側部を前記空間に連通する流入口と、前記横向き排水路の室外側部と連通し、かつ上枠の室外側縦面に沿った縦排水路と、この縦排水路の下部を室外に連通する排水口を有する請求項２記載の建具。
【請求項４】
前記縦枠は係合凹部を有し、
前記上枠コーナーキャップの面内方向の外側寄りに、前記係合凹部に係合する取付用突部を有し、
この取付用突部を係合凹部に係合することで、上枠コーナーキャップを取り付けできるようにした請求項１又は２又は３記載の建具。
【請求項５】
上枠の長手方向の端面と縦枠の面内方向の内側面を接合して上枠と縦枠を連結した枠体を有し、その上枠の上面に設けた躯体取付片を建物躯体の室外側面に固着して取り付けると共に、前記上枠の上面と外壁との間をシール材でシールして当該外壁と建物躯体の室外側面との間に空間を形成するようにした建具であって、
前記上枠の上面と縦枠の上端面とに亘って設けられ、前記上枠の躯体取付片に接して、前記上枠と縦枠の接合部を止水する止水材と、
前記上枠の上面と縦枠の上端面とに亘って取り付けられて、前記縦枠の上外側の角部を覆い、かつ前記止水材を保持する上枠コーナーキャップを備え、
前記上枠コーナーキャップと上枠の上面との間の前記止水材よりも面内方向の内側寄りに排水路を有し、
前記排水路は、前記空間を室外に連通することを特徴とする建具。
【発明の詳細な説明】
【技術分野】
【０００１】
本発明は、引き違いサッシ、開き窓などの建具に関する。
【背景技術】
【０００２】
従来、引き違いサッシや開き窓などの建具としては、上枠と左右の縦枠と下枠を枠組みした枠体と、この枠体内に設けた障子を有したものが知られている。
この建具は、その枠体を建物躯体の開口部の周縁部に固着して建物躯体に取り付けるのが一般的である。
例えば、特許文献１に開示されたように、上枠の長手方向両端面と左右の縦枠の相対向した内側面の上部を接合し、ビスで固着して連結すると共に、その左右の縦枠の内側面の下部と下枠の長手方向両端面を接合し、ビスで固着して連結することで枠体とし、その枠体内に内障子、外障子を開き位置と閉じ位置とに亘って移動自在に設けた引き違いサッシが知られている。
そして、前記枠体を建物躯体の開口部の周縁に固着し、その建物躯体の室外側面に取り付けた外壁と上枠との間をシール材でシールしている。
【先行技術文献】
【特許文献】
【０００３】
【特許文献１】実用新案登録第２５４０８３９号公報
【発明の概要】
【発明が解決しようとする課題】
【０００４】
従来の建具は、枠体の上枠と左右の縦枠が前述のように接合して連結してあるから、その上枠の上面に沿って流れた雨水が上枠と縦枠の接合部から枠体内に浸入し易く、その上枠と縦枠との接合部にシーラーを設けて止水しているが、シーラーのみによる止水では止水効果が十分ではなく、上枠と縦枠の接合部から雨水が枠体内に浸入する恐れがある。
特に、前述したように建物躯体の室外側面と外壁との間に空間がある場合には、外壁から空間に浸入した雨水が空間の下部で上枠の上面に溜まり、その雨水が上枠と縦枠との接合部から枠体内に浸入することがある。
【０００５】
また、縦枠は、長尺な形材を切断して所定の長さとしたものであるから、その縦枠の上端面と外側面が連続する上外側の角部（コーナーエッジ）は、建具を見たときに著しく目立つ。しかも、前述の上外側の角部は直角であるから、建具を見たときに、見た目がするどく、厳しい感じを受けるので、好ましくない。
【０００６】
本発明の目的は、上枠と縦枠の接合部から雨水が枠体内に浸入することを確実に防止できると共に、縦枠の上外側の角部が目立つことがないようにした建具とすることである。
【課題を解決するための手段】
【０００７】
本発明は、上枠の長手方向の端面と縦枠の面内方向の内側面を接合して上枠と縦枠を連結した枠体を有した建具であって、
前記上枠の上面と縦枠の上端面とに亘って設けられて、前記上枠と縦枠の接合部を止水する止水材と、
前記上枠の上面と縦枠の上端面とに亘って取り付けられて、前記縦枠の上外側の角部を覆い、かつ前記止水材を保持する上枠コーナーキャップを備えていることを特徴とする建具である。
【０００８】
本発明は、前記上枠コーナーキャップと上枠の上面との間の前記止水材よりも面内方向の内側寄りに排水路を有し、
前記排水路は、枠体を建物躯体に取り付けた場合に、その建物躯体の室外側面と外壁との間の空間を室外に連通する建具とすることができる。
このようにすれば、建物躯体の室外側面と外壁との間の空間に浸入した雨水を排水路で室外に排水することができる。
【０００９】
本発明は、前記排水路は、上枠の上面に沿った横向き排水路と、この横向き排水路の室内側部を前記空間に連通する流入口と、前記横向き排水路の室外側部と連通し、かつ上枠の室外側縦面に沿った縦排水路と、この縦排水路の下部を室外に連通する排水口を有する建具とすることができる。
このようにすれば、強風などで雨水が排水路を通って前記空間に逆流することを防止できる。
【００１０】
本発明は、前記縦枠は係合凹部を有し、
前記上枠コーナーキャップの面内方向の外側寄りに、前記係合凹部に係合する取付用突部を有し、
この取付用突部を係合凹部に係合することで、上枠コーナーキャップを取り付けできるようにした建具とすることができる。
このようにすれば、上枠コーナーキャップを簡単に取り付けできる。
【００１１】
本発明は、上枠の長手方向の端面と縦枠の面内方向の内側面を接合して上枠と縦枠を連結した枠体を有し、その上枠の上面に設けた躯体取付片を建物躯体の室外側面に固着して取り付けると共に、前記上枠の上面と外壁との間をシール材でシールして当該外壁と建物躯体の室外側面との間に空間を形成するようにした建具であって、
前記上枠の上面と縦枠の上端面とに亘って設けられ、前記上枠の躯体取付片に接して、前記上枠と縦枠の接合部を止水する止水材と、
前記上枠の上面と縦枠の上端面とに亘って取り付けられて、前記縦枠の上外側の角部を覆い、かつ前記止水材を保持する上枠コーナーキャップを備え、
前記上枠コーナーキャップと上枠の上面との間の前記止水材よりも面内方向の内側寄りに排水路を有し、
前記排水路は、前記空間を室外に連通することを特徴とする建具が好ましい。
このようにすれば、枠体を建物躯体に取り付けると共に、止水材、上枠コーナーキャップを取り付けた後に、外壁を取り付け、その外壁と上枠の上面、上枠コーナーキャップの上面との間をシール材でシールすることができ、建具を取付現場において簡単に取り付けできる。
【発明の効果】
【００１２】
本発明によれば、止水材によって上枠と縦枠の接合部から雨水が枠体内に浸入することを確実に防止できる。
また、縦枠の上外側の角部が上枠コーナーキャップで目立つことがないようにできる。
【図面の簡単な説明】
【００１３】
【図１】本発明の実施の形態を示す建具の概略外観図である。
【図２】図１の上枠コーナーキャップ取付部分の拡大図である。
【図３】図１のＡ−Ａ拡大詳細断面図である。
【図４】図１のＢ−Ｂ拡大詳細断面図である。
【図５】上枠コーナーキャップを取り外した枠体のコーナー部斜視図である。
【図６】枠体の上枠コーナーキャップ取付部分の側面図である。
【図７】図６のＣ−Ｃ断面図である。
【図８】上枠コーナーキャップと水密材を下面から見た斜視図である。
【図９】図２のＤ−Ｄ拡大詳細断面図である。
【図１０】図２のＥ−Ｅ拡大詳細断面図である。
【発明を実施するための形態】
【００１４】
図１に示すように、枠体１と障子２で建具としてある。例えば、枠体１に内障子２ａと外障子２ｂを開き位置と閉じ位置とに亘って面内方向に移動自在に設けて引き違いサッシとしてある。前記面内方向とは、後述する上枠１０の長手方向に沿う方向である。
前記枠体１は、上枠１０と左右の縦枠２０，２０と下枠３０を枠組みしてある。
前記上枠１０の長手方向の端面１０ａと、左右の縦枠２０の面内方向の内側面２０ａの上部を接合し、図２に示すように、ビス３で固着して上枠１０と左右の縦枠２０の上部をそれぞれ連結している。
前記下枠３０の長手方向の端面３０ａと、左右の縦枠２０の面内方向の内側面２０ａの下部を接合し、ビス（図示せず）で固着して下枠３０と左右の縦枠２０の下部をそれぞれ連結している。
前記縦枠２０の面内方向の内側面２０ａとは、当該縦枠２０の面内方向の両側面における左右の縦枠２０の相対向した面である。
【００１５】
図２に示すように、前記左右の縦枠２０の上端面２０ｂと面内方向の外側面２０ｃは直角に連続し、縦枠２０の上外側の角部２０ｄは直角となっている。
例えば、縦枠２０は長尺な形材（アルミ押出形材や樹脂押出形材）を切断して所定の長さとしてあり、その切断した端面が長手方向と直角で、前記上端面２０ｂは長手方向と直角になるから上外側の角部２０ｄは直角である。
前述の説明で、縦枠２０の面内方向の外側面２０ｃとは、縦枠２０の面内方向の両側面における内側面２０ａと反対側の面である。
【００１６】
前記上枠１０の上面１０ｂの長手方向端部寄りと左右の縦枠２０の上端面２０ｂとに亘って上枠コーナーキャップ４を取り付け、この上枠コーナーキャップ４で縦枠２０の上外側の角部２０ｄを覆い、前記上外側の角部２０ｄが目立つことがないようにしてあると共に、前記上外側の角部２０ｄに手が触れることがないようにしてある。
このようであるから、建具を見たときに枠体１の縦枠２０の上外側の角部２０ｄが目立つことがなく、上枠コーナーキャップ４が目立つので、見た目がやわらかで、やさしい感じを受けるから、好ましい。
しかも、縦枠２０の上外側の角部２０ｄに手が触れることがなく、安全である。
【００１７】
図２に示すように、前記上枠１０の上面１０ｂの長手方向端部寄りと左右の縦枠２０の上端面２０ｂとに亘って止水材５が接し、この止水材５は上枠コーナーキャップ４で動かないように保持されている。
このようであるから、上枠１０と縦枠２０の接合部から雨水が枠体１内に浸入することを確実に防止できる。
前記止水材５は上枠コーナーキャップ４に設け、その上枠コーナーキャップ４を前述のように取り付けることで止水材５が前述のように接して動かないようにしても良いし、止水材５を前述のように上枠１０の上面１０ｂと縦枠２０の上端面２０ｂとに亘って接するように設け、その後に上枠コーナーキャップ４を前述のように取り付けることで、止水材５が動かないように保持しても良い。なお、止水材５は乾式のものを使用しても、湿式のものを使用しても、どちらでもよい。
【００１８】
次に、各部材の詳細を説明する。
前記枠体１は図３、図４に示すように、建物躯体６の開口部６ａの周縁に固着具、例えばビスで固着して取り付けてある。
前記建物躯体６の室外側面６ｂには外壁７が図示しない胴縁を介して取り付けてある。
この外壁７と上枠１０の上面１０ｂとの間、下枠３０の下面３０ｂとの間、縦枠２０の外側面２０ｃとの間がシール材８でそれぞれ水密されている。
前記外壁７と建物躯体６の室外側面６ｂは室内外側方向に離隔し、両者の間には空間９を有し、その空間９は通気層などとして利用される。
【００１９】
前記上枠１０は、図３に示すように、本体１１と、その本体１１の上面に上向きに設けた躯体取付片１２を有し、その本体１１を建物躯体６の開口部６ａの内面に固着具、例えばビス１３で固着すると共に、前記躯体取付片１２を建物躯体６の室外側面６ｂに固着具、例えばビス１４で固着してある。
前記上枠１０は、金属製の室内側部材１５と金属製の室外側部材１６を断熱材１７で連結した断熱形材と、その室内側部材１５に設けた樹脂部材１８を備えている。上枠１０は前述のものに限ることはない。
【００２０】
前記下枠３０は、図３に示すように、本体３１と、この本体３１の下面に下向きに設けた躯体取付片３２を有し、その本体３１を建物躯体６の開口部６ａの内面に固着具、例えばビス３３で固着すると共に、前記躯体取付片３２を建物躯体６の室外側面６ｂに固着具、例えばビス３４で固着してある。
前記下枠３０は、上枠１０と同様に、金属製の室内側部材３５と室外側部３６を断熱材３７で連結した断熱形材と、その室内側部材３５に設けた樹脂部材３８を備えている。下枠３０は前述のものに限ることはない。
【００２１】
前記縦枠２０は、図４に示すように、本体２１と、この本体２１の外側面に面内方向の外側に向けて設けた躯体取付片２２を有し、その本体２１を建物躯体６の開口部６ａの内面に固着具、例えばビス２３で固着すると共に、前記躯体取付片２２を建物躯体６の室外側面６ｂに固着具、例えばビス２４で固着してある。
前記縦枠２０は、金属製部材２５の室内側部に樹脂部材２６を設けてある。この金属製部材２５は、室内外側方に向かう縦板２５ａの内側面に複数の面内方向の内側に向かう内向片２５ｂを有している。
前記金属製部材２５（つまり、縦枠２０）の室外側寄り部には係合凹部２７を長手方向に連続して有している。この係合凹部２７は面内方向の外側に向けて開口している。
例えば、金属製部材２５の室外側端には室内側に向かう鉤形状の鉤片２８を有し、その金属製部材２５の室外側寄りの板厚を薄くすることで室外側に向かう段差部２９を有し、この段差部２９と前記鉤片２８で係合凹部２７としてある。
【００２２】
前記上枠１０と縦枠２０は図５〜図７に示すように接合してビス３で連結してある。
つまり、縦枠２０の金属製部材２５の内向突片２５ｂの上部寄りを切断して除去し、その縦板２５ａの内側面に上枠１０の端面１０ａをシーラー１９を介して接合し、ビス３を縦枠２０の縦板２５ａから上枠１０に螺合して上枠１０と縦枠２０を連結している。
図７に示すように、前記縦枠２０の上端面２０ｂは上枠１０の上面１０ｂよりも若干だけ上方に突出している。
【００２３】
前記水密材５は図５に仮想線で示すように、所定の長さと幅と厚さを有す矩形状で、その水密材５は、上枠１０の上面１０ｂの長手方向端部寄りと縦枠２０の上端面２０ｂとに亘って接すると共に、上枠１０の躯体取付片１２、縦枠２０の躯体取付片２２に亘ってそれぞれ接している。
図７に示すように、前記水密材５は縦枠２０の外側面２０ｃよりも外側に若干突出している。
【００２４】
前記上枠コーナーキャップ４は図５〜図８に示すように、取付用突部４ａと、水密材保持用の凹陥部４ｂと排水用凹陥部４ｃを有している。
前記取付用突部４ａは、図６に示すように上枠コーナーキャップ４の面内方向外側寄りに設けてあり、縦枠２０の係合凹部２７に係合するもので、上枠コーナーキャップ４を取り付けできるようにしてある。
例えば、前記鉤片２８に嵌合すると共に、前記段差部２９に接する突片４０で取付用突部４ａとしてある。
【００２５】
このようであるから、図５に示すように上枠コーナーキャップ４を上枠１０の上面１０ｂよりも上方に位置させ、その位置から上枠コーナーキャップ４を下方に移動し、突片４０を鉤片２８に嵌合すると共に、段差部２９に接することで、取付用突部４ａを係合凹部２７に、室内外側方向及び面内方向に動かないように係合することで、上枠コーナーキャップ４を簡単に取り付けできる。つまり、取付用突部４ａを上から下に向けて移動することで係合凹部２７に係合できる。
【００２６】
前記水密材保持用の凹陥部４ｂは、図８に示すように、上枠コーナーキャップ４の下面４ｄと室内側端面４ｅに開口している。その凹陥部４ｂ内に水密材５を押し込み、その水密材５を上枠コーナーキャップ４の室内側端面４ｅに接するようにして保持する。前記凹陥部４ｂは上枠コーナーキャップ４の面内方向外側寄りに設けてある。
これによって、水密材５は図６、図７、図９に示すように上枠１０の上面１０ｂ、躯体取付片１２に接すると共に、縦枠２０の上端面２０ｂ、躯体取付片２２に接するので、建物躯体６の室外側面６ｂと外壁７との間の空間９に浸入した雨水が、上枠１０と縦枠２０の接合部から枠体１内に浸入することを確実に防止できる。
【００２７】
前記排水用凹陥部４ｃは、図８に示すように、上枠コーナーキャップ４の下面４ｄと室内側端面４ｅと面内方向の内側面４ｆの室内側寄りと室外側にそれぞれ開口している。この排水用凹陥部４ｃは前記凹陥部４ｂよりも面内方向の内側に位置する。
前記上枠コーナーキャップ４を、前述のように取り付けることで、図７、図１０に示すように、上枠１０の上面１０ｂと排水用凹陥部４ｃとで排水路５０を形成する。この排水路５０は止水材５よりも面内方向の内側に形成してある。
前記排水路５０は、前記建物躯体６の室外側面６ｂと外壁７との間の空間９を室外まで連通し、その空間９に溜まった雨水を上枠１０の上面１０ｂに沿って室外に排水することができるようにしてある。例えば、外壁７がサイディングの場合には、サイディングの目地から空間９内に雨水が浸入し、その雨水が溜まることがある。
【００２８】
このようであるから、前記空間９内に雨水が溜まることを防止できる。
しかも、空間９内に雨水が溜まることがないことで、上枠１０と縦枠２０の接合部から空間９内の雨水が枠体１内に浸入することをより一層確実に防止できる。
さらに、枠体１に上枠コーナーキャップ４を取り付けることで排水路５０を形成でき、その排水路５０のために建具の取付現場での作業が不要であるから、取付現場での建具取付作業を短時間に実施できる。
【００２９】
例えば、上枠コーナーキャップ４を取り付けた枠体１を建物躯体６に前述したように取り付け、この後に外壁７を取り付ける。
そして、枠体１と外壁７との間にシール材８を設けることで建具を取り付ける。
このようにすれば、シール材８（湿式のシール材）を枠体１と上枠コーナーキャップ４とに亘って連続して設けることができ、そのシール材８を簡単に設けることができる。
【００３０】
前記排水路５０は図１０に示すように、上枠１０の上面１０ｂに沿った横向き排水路５１と、この横向き排水路５１の室内側部を前記空間９に連通する流入口５２と、前記横向き排水路５１の室外側部と連通し、かつ上枠１０の室外側縦面１０ｃに沿った縦排水路５３と、この縦排水路５３の下部を室外に連通する排水口５４を有し、排水路５０の流出部分を下向きとしてある。
このようであるから、強風などで雨水が排水口５４から排水路５０内に流入しようとしたときに、縦排水路５３によって横向き排水路５１まで流入しないようにでき、この排水路５０を通って前記空間９内に雨水が逆流することを防止できる。
【００３１】
前記排水路５０は、横向き排水路５１の室内側部に流入口５２を有し、室外側部に排水口５４を有する形状でも良く、その場合には排水口５４に排水弁を設けて雨水が空間９に逆流しないようにすれば良い。
【００３２】
前記上枠コーナーキャップ４を具体的に説明すると、図８に示すように、矩形状の上面板４２と、その長手方向一端縁と連続した下向きの縦片４３と、前記上面板４２の下面の幅方向両側縁の長手方向に亘って連続した一側面板４４、他側面板４５と、前記上面板４２の下面の幅方向中間の長手方向に亘って連続した中間縦板４６と、この中間縦板４６の長手方向一端部と一側面板４４を連続する連続縦板４７を備えている。
【００３３】
前記一側面板４４と他側面板４５は縦片４３まで連続して、前記排水用凹陥部４ｃを形成し、一側面板４４と中間縦板４６は上面板４２の長手方向の他端面４２ａ（室内側端面４ｅ）まで連続して、前述の凹陥部４ｂを形成している。
前記他側面板４５は上面板４２の長手方向の他端面４２ａと離隔している。
前記一側面板４４、他側面板４５、中間縦板４６、連続縦板４７の高さ寸法は同一で、その各下面は同一高さで、前記上枠コーナーキャップ４の下面４ｄとしてある。
この高さ寸法は、前記縦片４３の高さ寸法よりも小さく、縦片４３の下面は、前記下面４ｄよりも下方に位置している。
前記一側面板４４、他側面板４５の縦片４３寄り部分４４ａ，４５ａの高さ寸法は縦片４３の高さ寸法と同一で、その各縦片４３寄り部分４４ａ，４５ａと縦片４３で平面形状がコ字状の縦排水路形成部４ｇとしてある。
前記突片４０は上面板４２の下面における幅方向一側寄りに設けてあり、その突片４０は前記下面４ｄよりも下方に突出している。
前述の説明で長手方向、幅方向とは、枠体１に取り付けたときに室内外側方向に向かう方向、面内方向に向かう方向である。
【００３４】
前記上枠コーナーキャップ４を枠体１に前述のように取り付けると、他側面板４５の端部がシール材８よりも室内側寄りとなって前述の流入口５２を形成し、縦片４３が上枠１０の室外側縦面１０ｃと間隔を置いて対向し、かつ一側面板４４、他側面板４５の縦片４３寄り部分４４ａ，４５ａが上枠１０の室外側縦面１０ｃと対向して前述の縦排水路５３を形成する。
つまり、前記コ字状の縦排水路形成部４ｇと上枠１０の室外側縦面１０ｃで、平面形状が矩形状の縦排水路５３を形成している。
また、図７に示すように、一側面板４４は縦枠２０の外側面２０ｃよりも外側に位置し、中間縦板４６と他側面板４５が上枠１０の上面１０ｂに接するので、縦枠２０の上端面２０ｂが上枠１０の上面１０ｂよりも上方に突出していても、止水材５を上枠１０の上面１０ｂと縦枠２０の上端面２０ｂに接することができる。
【符号の説明】
【００３５】
１…枠体、４…上枠コーナーキャップ、５…止水材、６…建物躯体、６ｂ…室外側面、７…外壁、８…シール材、９…空間、１０…上枠、１０ａ…長手方向の端面、１０ｂ…上面、１０ｃ…室外側縦面、１２…躯体取付片、２０…縦枠、２０ａ…面内方向の内側面、２０ｂ…上端面、２０ｃ…面内方向の外側面、２０ｄ…上外側の角部。
【図１】
0005432865.tif 000002
【図２】
0005432865.tif 000003
【図３】
0005432865.tif 000004
【図４】
0005432865.tif 000005
【図５】
0005432865.tif 000006
【図６】
0005432865.tif 000007
【図７】
0005432865.tif 000008
【図８】
0005432865.tif 000009
【図９】
0005432865.tif 000010
【図１０】
0005432865.tif 000011